【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
カメラに対して装着可能なアクセサリであって、
前記カメラとの間で行う、データ通信に用いられるデータ通信チャネルと前記データ通信チャネルを介して行う通信のタイミングを通知する通知チャネルとを含むチャネルを用いた通信を制御するアクセサリ制御部を有し、
前記アクセサリ制御部は、
通信相手の指定を伴わずに行われる通信のために用いられる第１通信方式と、前記カメラと指定された通信相手との間で行われる通信のために用いられる第２通信方式と、に切り替え可能であり、
前記カメラからデータを受信している間の前記通知チャネルの電圧レベルは、前記第１通信方式と前記第２通信方式では異なり、
前記第１通信方式で伝達される第１通信データ列および前記第２通信方式で伝達される第２通信データ列は、可変長のデータ列であり、
前記第１通信データ列および前記第２通信データ列では、データ列の長さを示すデータ長データ列が前記カメラと前記アクセサリとの間で伝達される内容を示す伝達データ列の前に配置されることを特徴とするアクセサリ。
【請求項２】
前記第１通信データ列および前記第２通信データ列の最後には、誤り検出データ列が配置されていることを特徴とする請求項１に記載のアクセサリ。
【請求項３】
前記第１通信データ列に含まれるデータ長データ列のサイズは、前記第２通信データ列に含まれるデータ長データ列のサイズと等しいことを特徴とする請求項１または２に記載のアクセサリ。
【請求項４】
前記第１通信データ列および前記第２通信データ列では、前記第１通信データ列および前記第２通信データ列の種類を識別するための識別データ列が、前記データ長データ列の次に配置され、
前記第１通信データ列に含まれる識別データ列と前記第２通信データ列に含まれる識別データ列とが同じ値である場合であっても、前記第１通信データ列は前記第２通信データ列とは種類が異なるデータ列であることを特徴とする請求項１から３のいずれか１項に記載のアクセサリ。
【請求項５】
前記アクセサリ制御部は、前記第１通信データ列の種類を識別するための識別データ列の値が前記アクセサリを識別するための識別データ値と一致した場合、前記第１通信方式から前記第２通信方式への切り替えを行うことを特徴とする請求項１から４のいずれか１項に記載のアクセサリ。
【請求項６】
前記アクセサリ制御部は、前記第１通信データ列の種類を識別するための識別データ列の値が前記全てのアクセサリのそれぞれを識別するための識別データ値とは異なる場合、前記アクセサリに前記識別データ列に対応する動作を実行させることを特徴とする請求項１から５のいずれか１項に記載のアクセサリ。
【請求項７】
前記アクセサリ制御部は、前記第１通信データ列の種類を識別するための識別データ列が前記全てのアクセサリのそれぞれを識別するための識別データ値とは異なる場合、前記アクセサリを低消費電力状態に移行させることを特徴とする請求項１から６のいずれか１項に記載のアクセサリ。
【請求項８】
前記アクセサリ制御部は、前記第１通信データ列の先頭が前記データ長データ列である場合、前記第１通信データ列を第１データ列構造と判定し、前記第２通信データ列の先頭が前記データ長データ列である場合、前記第２通信データ列を第１データ列構造と判定することを特徴とする請求項１から７のいずれか１項に記載のアクセサリ。
【請求項９】
前記アクセサリ制御部は、前記第１通信データ列の先頭が前記データ長データ列とは異なるデータ列である場合、前記第１通信データ列を前記第１データ列構造とは異なる第２データ列構造と判定し、前記第２通信データ列の先頭が前記データ長データ列とは異なるデータ列である場合、前記第２通信データ列を前記第２データ列構造と判定することを特徴とする請求項８に記載のアクセサリ。
【請求項１０】
第１のアクセサリおよび第２のアクセサリが装着可能なカメラであって、
前記第１のアクセサリおよび前記第２のアクセサリとの間で行う、データ通信に用いられるデータ通信チャネルと前記データ通信チャネルを介して行う通信のタイミングを通知する通知チャネルとを含むチャネルを用いた通信を制御するカメラ制御部を有し、
前記カメラ制御部は、
通信相手の指定を伴わずに行われる通信のために用いられる第１通信方式と、前記カメラと指定された通信相手との間で行われる通信のために用いられる第２通信方式と、に切り替え可能であり、
前記アクセサリが前記カメラからデータを受信している間の前記通知チャネルの電圧レベルは、前記第１通信方式と前記第２通信方式では異なり、
前記第１通信方式で伝達される第１通信データ列および前記第２通信方式で伝達される第２通信データ列は、可変長のデータ列であり、
前記第１通信データ列および前記第２通信データ列では、データ列の長さを示すデータ長データ列が前記カメラと前記アクセサリとの間で伝達される内容を示す伝達データ列の前に配置されることを特徴とするカメラ。
【請求項１１】
カメラに対して装着可能であり、前記カメラとの間で行う、データ通信に用いられるデータ通信チャネルと前記データ通信チャネルを介して行う通信のタイミングを通知する通知チャネルとを含むチャネルを用いた通信を制御するアクセサリであって、通信相手の指定を伴わずに行われる通信のために用いられる第１通信方式と、前記カメラと指定された通信相手との間で行われる通信のために用いられる第２通信方式と、に切り替え可能であり、前記カメラからデータを受信している間の前記通知チャネルの電圧レベルは、前記第１通信方式と前記第２通信方式では異なるアクセサリのコンピュータに、
前記第１通信方式において、前記第２通信方式における前記カメラの通信相手として前記アクセサリを示す通信相手指定データを、前記データ通信チャネルを介して受信するステップと、
前記通信相手指定データを受信したことに応じて、前記第１通信方式から前記第２通信方式への切り替えを行うステップを実行させる通信制御プログラムであって、
前記第１通信方式で伝達される第１通信データ列および前記第２通信方式で伝達される第２通信データ列は、可変長のデータ列であり、
前記第１通信データ列および前記第２通信データ列では、データ列の長さを示すデータ長データ列が前記カメラと前記アクセサリとの間で伝達される内容を示す伝達データ列の前に配置されることを特徴とする通信制御プログラム。
【請求項１２】
第１のアクセサリおよび第２のアクセサリが装着可能であり、前記第１のアクセサリおよび前記第２のアクセサリとの間で行う、データ通信に用いられるデータ通信チャネルと前記データ通信チャネルを介して行う通信のタイミングを通知する通知チャネルとを含むチャネルを用いた通信を行うカメラであって、通信相手の指定を伴わずに行われる通信のために用いられる第１通信方式と、前記カメラと指定された通信相手との間で行われる通信のために用いられる第２通信方式と、に切り替え可能であり、前記アクセサリが前記カメラからデータを受信している間の前記通知チャネルの電圧レベルは、前記第１通信方式と前記第２通信方式では異なるカメラのコンピュータに、
前記第１通信方式において、前記第２通信方式における通信相手として選択したアクセサリを示す通信相手指定データを前記複数のアクセサリに送信するステップと、
前記通信相手指定データを送信したことに応じて、前記第１通信方式から前記第２通信方式への切り替えを行うステップを実行させる通信制御プログラムにおいて、
前記第１通信方式で伝達される第１通信データ列および前記第２通信方式で伝達される第２通信データ列は、可変長のデータ列であり、
前記第１通信データ列および前記第２通信データ列では、データ列の長さを示すデータ長データ列が前記カメラと前記アクセサリとの間で伝達される内容を示す伝達データ列の前に配置されることを特徴とする通信制御プログラム。
【手続補正２】
【補正対象書類名】明細書
【補正対象項目名】０００９
【補正方法】変更
【補正の内容】
【０００９】
本発明の一側面としてのアクセサリは、カメラに対して装着可能なアクセサリであって、カメラとの間で行う、データ通信に用いられるデータ通信チャネルとデータ通信チャネルを介して行う通信のタイミングを通知する通知チャネルとを含むチャネルを用いた通信を制御するアクセサリ制御部を有し、アクセサリ制御部は、通信相手の指定を伴わずに行われる通信のために用いられる第１通信方式と、カメラと指定された通信相手との間で行われる通信のために用いられる第２通信方式と、に切り替え可能であり、カメラからデータを受信している間の通知チャネルの電圧レベルは、第１通信方式と第２通信方式では異なり、第１通信方式で伝達される第１通信データ列および第２通信方式で伝達される第２通信データ列は、可変長のデータ列であり、第１通信データ列および第２通信データ列では、データ列の長さを示すデータ長データ列がカメラとアクセサリとの間で伝達される内容を示す伝達データ列の前に配置されることを特徴とする。
【手続補正３】
【補正対象書類名】明細書
【補正対象項目名】００１０
【補正方法】変更
【補正の内容】
【００１０】
また、本発明の他の側面としてのカメラは、第１のアクセサリおよび第２のアクセサリが装着可能なカメラであって、第１のアクセサリおよび第２のアクセサリとの間で行う、データ通信に用いられるデータ通信チャネルとデータ通信チャネルを介して行う通信のタイミングを通知する通知チャネルとを含むチャネルを用いた通信を制御するカメラ制御部を有し、カメラ制御部は、通信相手の指定を伴わずに行われる通信のために用いられる第１通信方式と、カメラと指定された通信相手との間で行われる通信のために用いられる第２通信方式と、に切り替え可能であり、アクセサリがカメラからデータを受信している間の通知チャネルの電圧レベルは、第１通信方式と第２通信方式では異なり、第１通信方式で伝達される第１通信データ列および第２通信方式で伝達される第２通信データ列は、可変長のデータ列であり、第１通信データ列および第２通信データ列では、データ列の長さを示すデータ長データ列がカメラとアクセサリとの間で伝達される内容を示す伝達データ列の前に配置されることを特徴とする。
【手続補正４】
【補正対象書類名】明細書
【補正対象項目名】００１１
【補正方法】変更
【補正の内容】
【００１１】
また、本発明の他の側面としての通信制御プログラムは、カメラに対して装着可能であり、カメラとの間で行う、データ通信に用いられるデータ通信チャネルとデータ通信チャネルを介して行う通信のタイミングを通知する通知チャネルとを含むチャネルを用いた通信を制御するアクセサリであって、通信相手の指定を伴わずに行われる通信のために用いられる第１通信方式と、カメラと指定された通信相手との間で行われる通信のために用いられる第２通信方式と、に切り替え可能であり、カメラからデータを受信している間の通知チャネルの電圧レベルは、第１通信方式と第２通信方式では異なるアクセサリのコンピュータに、第１通信方式において、第２通信方式におけるカメラの通信相手としてアクセサリを示す通信相手指定データを、データ通信チャネルを介して受信するステップと、通信相手指定データを受信したことに応じて、第１通信方式から第２通信方式への切り替えを行うステップを実行させる通信制御プログラムであって、第１通信方式で伝達される第１通信データ列および第２通信方式で伝達される第２通信データ列は、可変長のデータ列であり、第１通信データ列および第２通信データ列では、データ列の長さを示すデータ長データ列がカメラとアクセサリとの間で伝達される内容を示す伝達データ列の前に配置されることを特徴とする。
【手続補正５】
【補正対象書類名】明細書
【補正対象項目名】００１２
【補正方法】変更
【補正の内容】
【００１２】
また、本発明の他の側面としての通信制御プログラムは、第１のアクセサリおよび第２のアクセサリが装着可能であり、第１のアクセサリおよび第２のアクセサリとの間で行う、データ通信に用いられるデータ通信チャネルとデータ通信チャネルを介して行う通信のタイミングを通知する通知チャネルとを含むチャネルを用いた通信を行うカメラであって、通信相手の指定を伴わずに行われる通信のために用いられる第１通信方式と、カメラと指定された通信相手との間で行われる通信のために用いられる第２通信方式と、に切り替え可能であり、アクセサリがカメラからデータを受信している間の通知チャネルの電圧レベルは、第１通信方式と第２通信方式では異なるカメラのコンピュータに、第１通信方式において、第２通信方式における通信相手として選択したアクセサリを示す通信相手指定データを複数のアクセサリに送信するステップと、通信相手指定データを送信したことに応じて、第１通信方式から第２通信方式への切り替えを行うステップを実行させる通信制御プログラムにおいて、第１通信方式で伝達される第１通信データ列および第２通信方式で伝達される第２通信データ列は、可変長のデータ列であり、第１通信データ列および第２通信データ列では、データ列の長さを示すデータ長データ列がカメラとアクセサリとの間で伝達される内容を示す伝達データ列の前に配置されることを特徴とする。